(57)【要約】      （修正有）【課題】外装箱の内フラップに傾斜部を形成させることによって内袋の重量を支え内袋内の残液量を効果的に減少させることができるウォーターサーバーを提供する。【解決手段】蓋壁となる一対の外フラップと内フラップとに対して、内袋３の抽出口４を箱外に露出するための抽出口用開口部と開口用扉片を形成するとともに対向する内フラップを対向する側壁の内側に折り曲げることで、内袋内の水を抽出口方向に導くようにテーパー部を備える内袋の抽出口周辺部を箱内に保持する対の支持台２２を形成する。【選択図】図４
0003159843.tif 000002
【実用新案登録請求の範囲】
【請求項１】
飲料水を封入した抽出口を有する柔軟材料からなる内袋を外装箱の内部に収容してなるバックインボックスであって、
段ボール等よりなる外装箱の側壁を構成する４角筒と、この４角筒の上下に折線を介して蓋壁又は底壁となる一対の外フラップと内フラップとを連接し、
蓋壁となる一対の外フラップと内フラップとに対して、内袋の抽出口を箱外に露出するための抽出口用開口部と開口用扉片を形成するとともに対向する内フラップを対向する側壁の内側に折り曲げることで、内袋内の水を抽出口方向に導くテーパー部を備える内袋の抽出口周辺部を箱内に保持する対の支持台を形成し、一方前記内袋の底部は外装箱の底フラップに対してテープまたは金具などの固着手段で剥がれないように一体に固着されていることを特徴とするウォーターサーバー用バッグインボックス。
【請求項２】
前記外装箱の対向する一対の側壁にハンドリング用手掛け穴が形成されており、かつその手掛け穴は斜め４５度方向に傾斜するように形成されていることを特徴とする請求項１に記載のウォーターサーバー用バッグインボックス。
【請求項３】
前記対向する内フラップを平行折目に沿って筒状に折り曲げて、内袋の抽出口周辺部を箱内に保持をする対の支持台が内袋の重量を支える補強材として機能するように形成されていることを特徴とする請求項１又は請求項２に記載のウォーターサーバー用バッグインボックス。
【請求項４】
前記対向する内フラップの端部に、差込片と係止め突起が形成されていることを特徴としている請求項１ないし３の何れか１項に記載のウォーターサーバー用バッグインボックス。
【考案の詳細な説明】
【技術分野】
【０００１】
本考案は、ウォーターサーバーに逆様にセットして使用するバックインボックスに関する。
【背景技術】
【０００２】
ウォーターサーバーとは、飲料水を収容した液体容器（ボトル等）をサーバーと呼ばれる給水器の上に設置し、前記容器の抽出口にコネクターを介してホースの一端を接続し、またホースの他端を給水器の他端に接続して飲料水を加温又は冷却し、その飲料水を給水器の抽出口から抽出させる主として家庭用の給水器である。
近年、飲料水を収容する液体容器として、いわゆるバッグインボックス（略して「ＢＩＢ」ということがある）と称する液体輸送容器が流通使用されている。このバッグインボックスは、従来の金属缶或いはガラス瓶などの代替品として提供されているものであり、段ボ−ル箱などを外装箱とし、その内部にプラスチック製包装袋（内袋）を配置して、内装と外装を分離回収可能なものとなっている。
内袋の容量は、おおむね５リットルから２０リットル程度の容量を有している。そのため内袋を外装箱の内部に収容した状態で、内袋に設けられた注出口から内部の液体を排出することが行われている。
【０００３】
このようなバックインボックスの従来例としては、例えば特許文献１〜２に示すようなバックインボックスがある。先行文献１，２に記載されているように、外装箱である厚紙製包装箱の蓋に、手を挿入する開口や内袋の抽出口及び口栓を露出させる開口部を設けたものや、内袋の一部を箱の天フラップにテープ貼りし固定した事例などが提案されている。
【０００４】
また、特許文献３〜４に示されるように、厚紙製包装箱の内部に内袋の液体を抽出口方向にガイドする、箱とは別ピースの傾斜体を設け、この傾斜体によって袋の中に内容液が残らないようにするものも提案されている。
【先行技術文献】
【特許文献】
【０００５】
【特許文献１】実用新案登録第３１３３４６０号
【特許文献２】特開２００１−２１２８号公報
【特許文献３】実開昭６３−１３８６７号公報
【特許文献４】特開２０００−２８１１３３号公報
【考案の概要】
【考案が解決しようとする課題】
【０００６】
本考案は、上記の傾斜体を外装箱と一体の構造にしたシンプルな構造を提案することを目的とするものであり、使用時に、内袋に残る飲料水の残量を減らすことができるようにしたものである。
すなわち本考案は、バックインボックスの液体を抽出口方向にガイドする傾斜体を外装箱の天フラップに組み込んだものであり、この構成により、ウォーターサーバーにバックインボックスを逆様にセットしたときに、袋の中の水の流れを真ん中に集中することができるバックインボックスを提供することを目的とする。
【課題を解決するための手段】
【０００７】
上記の目的を達成するために、本考案の請求項１のバックインボックスは、飲料水を封入した抽出口を有するプラスチック製フィルム等の柔軟材料からなる内袋を外装箱の内部に収容してなるバックインボックスであって、
段ボール等よりなる外装箱の側壁を構成する４角筒と、この４角筒の上下に折線を介して蓋壁又は底壁となる一対の外フラップと内フラップとを連接し、
蓋壁となる一対の外フラップと内フラップとに対して、内袋の抽出口を箱外に露出するための抽出口用開口部と開口用扉片を形成するとともに対向する内フラップを対向する側壁の内側に折り曲げることで、内袋内の水を抽出口方向に導くようにテーパー部を備える内袋の抽出口周辺部を箱内に保持する対の支持台を形成し、一方前記内袋の底部は外装箱の底フラップに対してテープまたは金具などの固着手段で剥がれないように一体に固着されていることを特徴とする。
【０００８】
また、本考案の請求項２のバックインボックスは、請求項１において、前記外装箱の対向する一対の側壁にハンドリング用手掛け穴が形成されており、かつその手掛け穴は斜め４５度方向に傾斜するように形成されていることを特徴とする。
【０００９】
さらに、本考案の請求項３のバックインボックスは、請求項１又は２において、前記対向する内フラップを平行折目に沿って、断面が略三角形又は台形状になるように筒状に折り曲げて、内袋の抽出口周辺部を箱内に保持をする対の支持台が内袋の重量を支える補強材として機能するように形成されていることを特徴とする。
【００１０】
さらに、本考案の請求項４のバックインボックスは、請求項３において、前記対向する内フラップの端部に、差込片と係止め突起が形成されていることを特徴としている。
【考案の効果】
【００１１】
本考案のバックインボックスは、外装箱の蓋壁となる一対の外フラップと内フラップとに内袋の抽出口を箱外に露出するための抽出口用開口部と開口用扉片を形成し、また対向する内フラップを対向する側壁の内側に折り曲げることにより、内袋の抽出口周辺部を箱内に保持する対の支持台を形成し、かつ前記支持台に袋内の水を抽出口方向に導くように形成されたテーパー部を作るようにしたため、外装箱内に、箱とは別ピースの傾斜体を装置する必要がなくなった。特に天内フラップのみに簡単な改良を加えることによって内袋内の残液量を効果的に減少させることが可能となった。
【図面の簡単な説明】
【００１２】
【図１】本考案バッグインボックスの完成斜視図である。
【図２】外装箱の展開図である。
【図３】内袋の口栓部を外装箱の蓋壁から突出させる途中の状態のバッグインボックスの斜視図である。
【図４】外装箱をひっくり返し、内袋の抽出口周辺部をテーパー部を有する支持台により箱内に保持をした状態の拡大断面図である。
【図５】内袋の底部を外装箱の底フラップにテープ（または金具など）で剥がれないように一体に固着した状態を示した斜視図である。
【考案を実施するための最良の形態】
【００１３】
以下、本考案の実施例について図面を参照しながら説明する。
本考案によるバックインボックス１の外装箱２は、一例として段ボールが用いられるが、内容物が比較的軽量な場合には、板紙などを使用してもよい。また、内袋３は、プラスチック製フィルム袋等の柔軟材料からなる内袋が使用され、その内袋の上部に栓付の抽出口４が接続されている。
【００１４】
次に外装箱２の構成について説明する。外装箱２は折線を介して連接された、対となる側壁５と７、側壁６と８及びこれらに連接した糊しろ片により４角筒が形成されている。この４角筒の上下に、折線を介して蓋壁又は底壁となる一対の外フラップ９、１１及び１３、１５と内フラップ１０，１２及び１４、１６とが連接されている。そして、対向する一対の側壁６と８の中央にハンドリング用手掛け穴１７ａ、１７ｂを設ける。手掛け穴１７ａ、１７ｂは水平方向または斜め４５度方向に傾くように形成されている。
【００１５】
図２の展開図に示すように、外装箱の蓋壁となる一対の外フラップ９と１１に、内袋の抽出口４を箱外に露出させるための扉片１８又は開口１９がそれぞれに形成されている。また、同じく一対の内フラップ１０，１２にも、内袋３の抽出口４を箱外に露出するための開口２０ａ，２０ｂが形成されている。
また、対向する内フラップ１０，１２を対向する側壁６，８の内側に折り曲げるための複数本の平行折目２１を側壁６，８の連接線に平行に設けている。
前記一対の内フラップ１０，１２は、組立て時に、前記平行折目２１に沿って、断面が略三角形或いは台形状になるように折り曲げ、対向する側壁６，８の内側に折り曲げる。そして、このように折り曲げたフラップ部材により、内袋３の抽出口周辺部を箱内に保持をする筒状の支持台２２を内袋の重量を支える補強材として機能するように形成するのである。
【００１６】
このように対向する内フラップ１０，１２の夫々は、外装箱を組み立てたとき、側壁６，８の内側に筒のように折り曲げる。このとき対向する内フラップの端部に、差込片２３と係止突起２４を形成しておく。また、これと係合する係止穴２５と係止窓２６とを側壁６と８の上部に形成する。
以上のように対向する内フラップを対向する側壁の内側に折り曲げることにより、内袋の抽出口周辺部を箱内に保持する対の支持台２２を形成し、かつこの支持台には袋内の水を抽出口方向に導くように形成されたテーパー部を形成する。また、このとき予め内袋の底部は、外装箱の底内フラップにテープ２７（または金具など）で、荷重が掛かっても剥がれないように図５に示すように固着する。
【００１７】
なお外装箱をサーバーにセットするときは、始めに、蓋側のフラップに形成した抽出口用開口用扉片１８を切開して、内袋３の上部に栓付の抽出口４を露出させる。次に、手掛け穴１７ａ、１７ｂを持ちながら、内袋の抽出口４が逆様になるように、外装箱を逆様にひっくり返して、外装箱をサーバーにセットする。図４は、使用時に外装箱を逆様にひっくり返した状態を示している。このように外装箱をひっくり返すことで、内袋３内の飲料を自重により排出可能にする。
【００１８】
なお、外装箱の組み立て手順と内袋を収容する手順は、上記の方法に限定されるものではなく、効率的な手順を用いることによって液の入った内袋３が収納された状態とし、外装箱の開口用扉片から内袋３の抽出口が露出した状態となるようにすれば良い。
【産業上の利用可能性】
【００１９】
上記のように本考案は、給水器の上に直接逆様にセットして使用するバックインボックス用外装箱のフラップを、内袋の抽出口周辺部を箱内に保持をする支持台として内袋の重量を支える補強材として機能させることができる。また、その支持台はバックインボックスの水の流れを真ん中に集中することができる。又同時に内袋に残る液量を減らす効果がある。
【符号の説明】
【００２０】
１ バックインボックス
２ 外装箱
３ 内袋
４ 抽出口
５ 、６、７、８  側壁
９、１１、１３，１５  外フラップ
１０、１２、１４、１６  内フラップ
１７ａ、１７ｂ   手掛け穴
１８  扉片
１９  開口
２０ａ、２０ｂ  開口
２１  平行折目
２２  支持台
２３  差込片
２４  係止突起
２５  係止穴
２６  係止窓
【図１】
0003159843.tif 000003
【図２】
0003159843.tif 000004
【図３】
0003159843.tif 000005
【図４】
0003159843.tif 000006
【図５】
0003159843.tif 000007